(57)【要約】【課題】携帯端末の厚さを薄くしながらスピーカを確実に保持する。【解決手段】背面側キャビネット４とリアカバー５にスピーカ９を露出させるスピーカ用開口４ａ，５ａを形成し、スピーカホルダ１０でスピーカ９を正面側から覆った状態で回路基板７に固定する。このスピーカホルダ１０に、複数の放音孔１１ａを有し、スピーカ９の正面を覆った状態でスピーカ用開口４ａ，５ａから露出する板金１１をインサート成形する。【選択図】図１
2015139036.tif 000002
【特許請求の範囲】
【請求項１】
筐体内にスピーカが内蔵された携帯端末において、
上記筐体に形成され、上記スピーカを露出させるスピーカ用開口と、
上記筐体内に設けられ、上記スピーカが接続される回路基板と、
上記スピーカを正面側から覆った状態で上記回路基板に固定するスピーカホルダとを備え、
上記スピーカホルダには、複数の放音孔を有し、上記スピーカの正面を覆った状態で上記スピーカ用開口から露出する板金がインサート成形されている
ことを特徴とする携帯端末。
【請求項２】
請求項１に記載の携帯端末において、
上記板金は、皿形状で上記スピーカホルダから膨出しており、膨出した部分が上記スピーカ用開口から露出している
ことを特徴とする携帯端末。
【請求項３】
請求項２に記載の携帯端末において、
上記板金の表面と上記スピーカ用開口の周縁表面との高さが等しい
ことを特徴とする携帯端末。
【請求項４】
請求項１から３のいずれか１つに記載の携帯端末において、
上記筐体には、外部接続コネクタが内蔵されており、
上記スピーカホルダが、上記外部接続コネクタの近傍で又は該外部接続コネクタと共に、上記筐体に共締めされている
ことを特徴とする携帯端末。
【請求項５】
請求項１から３のいずれか１つに記載の携帯端末において、
上記スピーカホルダは、上記筐体に一体に成形されている
ことを特徴とする携帯端末。
【発明の詳細な説明】
【技術分野】
【０００１】
本発明は、筐体内にスピーカが内蔵された携帯端末に関するものである。
【背景技術】
【０００２】
従来より、この種の携帯端末として、例えば、特許文献１に示すように、スピーカ及び表示部を備えた携帯電話その他の携帯機器において、スピーカ及び表示部をホルダ部材で保持して機器のケースで回路基板側に押圧固定するものが知られている。このホルダ部材はスピーカの外周部を包持するスピーカホルダ部と表示部の外周部を囲繞する表示部ホルダ部とで構成して該スピーカホルダ部と表示部ホルダ部とを一体成形している。
【先行技術文献】
【特許文献】
【０００３】
【特許文献１】特開平１０−４２３８３号公報
【発明の概要】
【発明が解決しようとする課題】
【０００４】
しかしながら、従来の携帯端末では、表示部ホルダ部と一体のスピーカホルダ部でスピーカを保持した上で、そのスピーカホルダ部を回路基板側に押圧固定しているので、厚さが厚くなるという問題があった。
【０００５】
本発明は、かかる点に鑑みてなされたものであり、その目的とするところは、携帯端末の厚さを薄くしながらスピーカを確実に保持することにある。
【課題を解決するための手段】
【０００６】
上記の目的を達成するために、この発明では、板金をインサート成形したスピーカホルダでスピーカを覆うようにした。
【０００７】
具体的には、本発明では、筐体内にスピーカが内蔵された携帯端末において、
上記筐体に形成され、上記スピーカを露出させるスピーカ用開口と、
上記筐体内に設けられ、上記スピーカが接続される回路基板と、
上記スピーカを正面側から覆った状態で上記回路基板に固定するスピーカホルダとを備え、
上記スピーカホルダには、複数の放音孔を有し、上記スピーカの正面を覆った状態で上記スピーカ用開口から露出する板金がインサート成形されている。
【０００８】
上記の構成によると、厚さが薄くて剛性の高い板金に複数の放音孔を設けてスピーカを覆った状態でスピーカ用開口から露出させるようにしているので、さらなるカバーを必要とせず、厚みを押さえながら音道を確保することができると共に、部品点数を減らすことができる。
【発明の効果】
【０００９】
以上説明したように、本発明によれば、複数の放音孔を有し、スピーカの正面を覆った状態でスピーカ用開口から露出する板金をスピーカホルダにインサート成形するようにしたことにより、さらなるカバーを必要とせず、携帯端末の厚さを薄くしながらスピーカを確実に保持することができる。
【図面の簡単な説明】
【００１０】
【図１】スピーカ及びその周辺を示す拡大断面図である。
【図２】本発明の実施形態に係る携帯電話機を示す分解斜視図である。
【図３】図２のIII部拡大斜視図である。
【図４】本発明の実施形態の変形例に係る図１相当図である。
【発明を実施するための形態】
【００１１】
以下、本発明の実施形態を図面に基づいて説明する。
【００１２】
図２は本発明の実施形態の携帯端末としての携帯電話機１（スマートフォン）を示し、この携帯電話機１は、正面側に例えばタッチパネル及び液晶ディスプレイを有する表示部２が収容される正面側キャビネット３と、その背面側を覆う背面側キャビネット４と、その背面を覆うリアカバー５とを備えている。本実施形態では、正面側キャビネット３と背面側キャビネット４とリアカバー５とで筐体が構成されている。
【００１３】
正面側キャビネット３と背面側キャビネット４とは、その間の収容空間に例えば矩形板状の充電池６と回路基板７とが収容された状態で、ビス５０で締結され、背面にリアカバー５が嵌め込まれている。
【００１４】
回路基板７の背面側には、多数の電子部品が装着されている。例えば、図３に拡大して示すように、回路基板７の下側中央には、外部接続コネクタとしてのＵＳＢ（登録商標）コネクタ８が設けられている。このＵＳＢコネクタ８の近傍の回路基板７には、スピーカ９が装着されている。ＵＳＢコネクタ８は、正面側キャビネット３のコネクタ用開口３ａからＵＳＢ端子の挿抜が可能となっている。
【００１５】
図１及び図２に示すように、背面側キャビネット４には、スピーカ９を露出させる例えば矩形状の内側スピーカ用開口４ａが形成されている。同様にリアカバー５にも矩形状の外側スピーカ用開口５ａが形成されている。
【００１６】
そして、スピーカ９は、正面側からスピーカホルダ１０で覆われた状態で回路基板７に固定されている。スピーカ９は、複数の放音孔１１ａを有するスピーカホルダ１０で覆われている。複数の放音孔１１ａは、例えば矩形皿状の板金１１にパンチングにより形成されており、この板金１１は、スピーカホルダ１０にインサート成形されている。この放音孔１１ａが形成された部分は、スピーカホルダ１０から膨出しており、スピーカホルダ１０がスピーカ９の正面を覆った状態で、この膨出した部分がスピーカ用開口４ａから露出している。板金１１の少なくとも露出する部分は、塗装、アルマイト、鍍金等により加飾仕上げされているのが見映えを向上させる上で望ましい。本実施形態では、板金１１の表面と外側スピーカ用開口５ａ周縁の表面との高さが等しく、見映えがよくなっている。ここで、「等しい」とは、完全に同じ高さでなくても、多少差があってもよいことを意味する。
【００１７】
また、図３に拡大して示すように、スピーカホルダ１０は、例えば２つのビス挿通孔１０ａを有し、それに対応させ、ＵＳＢコネクタ８にもビス挿通孔８ａが形成されている。これらビス挿通孔８ａ，１０ａにビス５０が挿通されて正面側キャビネット３に締め付けられている。
【００１８】
このように、厚さが薄くて剛性の高い板金１１に複数の放音孔１１ａを設けてスピーカ９を覆うようにしているので、さらなるカバーを必要とせず、厚みを押さえながら音道を確保することができると共に、部品点数を減らすことができる。また、放音孔１１ａが直接外側スピーカ用開口５ａから露出し、板金１１の表面高さが、外側スピーカ用開口５ａ周縁の表面高さとほぼ等しいので、樹脂製の厚いカバーを設ける場合に比べてスピーカ９をより外側に配置することができる。
【００１９】
また、スピーカホルダ１０とＵＳＢコネクタ８とを正面側キャビネット３及び背面側キャビネット４にビス５０にて共締めするようにしたことにより、ＵＳＢコネクタ８とスピーカホルダ１０とを正面側キャビネット３に堅固に固定できるので、ＵＳＢコネクタ８がさらに補強され、頻繁にＵＳＢコネクタ８を抜き差ししても損傷しない。
【００２０】
したがって、本実施形態に係る携帯電話機１によると、複数の放音孔１１ａを有し、スピーカ９の正面を覆った状態でスピーカ用開口４ａから露出する板金１１をスピーカホルダ１０にインサート成形するようにしたことにより、携帯電話機１の厚さを薄くしながらスピーカ９を確実に保持することができる。
【００２１】
−変形例−
図４は本発明の実施形態の変形例を示し、板金１１の成形場所が異なる点で上記実施形態と異なる。なお、本変形例では、図１〜図３と同じ部分については同じ符号を付してその詳細な説明は省略する。
【００２２】
すなわち、本変形例では、図４に示すように、スピーカホルダ１０は、背面側キャビネット４に一体に成形されている。具体的には、内側スピーカ用開口４ａの部分に板金１１がインサート成形され、放音孔１１ａが外側スピーカ用開口５ａから露出している。
【００２３】
このため、スピーカホルダ１０を別部品として成形しておく必要がなく、また、スピーカホルダ１０の組付を行う必要がないので、部品点数が減ると共に、組付作業が極めて容易となる。
【００２４】
（その他の実施形態）
本発明は、上記実施形態について、以下のような構成としてもよい。
【００２５】
すなわち、上記実施形態では、筐体には、リアカバー５が含まれているが、リアカバー５が背面側キャビネット４と一体に形成されていてもよい。この場合、内側スピーカ用開口４ａから板金１１が露出するようにするとよい。
【００２６】
上記実施形態では、外部接続コネクタは、ＵＳＢコネクタ８としたが、これに限定されず、マイクロＵＳＢコネクタその他のコネクタでもよい。
【００２７】
上記実施形態では、ＵＳＢコネクタ８にビス挿通孔８ａを設けて筐体と共締めするようにしているが、このビス挿通孔８ａは、必須ではなく、このビス挿通孔８ａの近傍でスピーカホルダ１０が筐体に共締めされていれば、ＵＳＢコネクタ８の剛性を確保できる。
【００２８】
上記実施形態では、携帯端末は、携帯電話機１としたが、タブレット端末、ＰＨＳ（Personal Handy-phone System ）、ＰＤＡ(Personal DigitalAssistant)、パソコン、モバイルツール、電子辞書、電卓、ゲーム機等であってもよい。
【００２９】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３０】
１      携帯電話機（携帯端末）
２      表示部
３      正面側キャビネット（筐体）
３ａ    コネクタ用開口
４      背面側キャビネット（筐体）
４ａ    内側スピーカ用開口
５      リアカバー（筐体）
５ａ    外側スピーカ用開口
６      充電池
７      回路基板
８      ＵＳＢコネクタ（外部接続コネクタ）
８ａ    ビス挿通孔
９      スピーカ
１０      スピーカホルダ
１０ａ    ビス挿通孔
１１      板金
１１ａ    放音孔
５０      ビス
【図１】
2015139036.tif 000003
【図２】
2015139036.tif 000004
【図３】
2015139036.tif 000005
【図４】
2015139036.tif 000006